(57)【特許請求の範囲】
【請求項１】
プリペイドカード及び電子マネー等の疑似貨幣取扱い機と、紙幣及びコインの実貨幣取扱い機と、キーボードと、金額を表示する表示器と、残金を実貨幣で放出する釣り銭取扱い機と、給油伝票を発行するプリンタと、各機器に接続された精算制御手段とを有する精算装置と、
送油用のポンプと、給油量を計量する流量計と、給油用の給油ノズルと、給油量を表示する表示器と、給油開始信号及び給油終了信号を出力するスイッチと、各機器及び前記精算制御手段に接続された計量制御手段とを有する計量装置とより構成され、
前記精算制御手段は、疑似貨幣取扱い機に挿入された疑似金額及び実貨幣取扱い機に挿入された実金額を加算し、
疑似貨幣取扱い機及び実貨幣取扱い機に挿入された合計の予納金額が表示器に表示され、キーボードの設定スイッチを押すと、加算した予納金額を前記計量制御手段へ出力し、
給油金額を受けた精算装置の精算制御手段は計量制御手段から入力した給油金額を予納金額より減算して残金額を演算し、表示器に表示し、キーボードの釣銭選択スイッチが押されると、
実金額が残金額より多い場合は疑似貨幣金額を零にして疑似貨幣取扱い機より放出し、残金を釣り銭取扱い機より放出し、プリンタより給油伝票が発行され、実金額が残金額より少ない場合は疑似貨幣金額を書き換えて疑似貨幣取扱い機より放出し、実貨幣を実貨幣取扱い機より放出し、プリンタより給油伝票が発行され、又は、繰り入れ信号を受けて残金額を疑似貨幣金額に繰り入れて疑似貨幣取扱い機より放出し、プリンタより給油伝票が発行され、前記計量制御手段は、精算制御手段から予納金額信号を受けて前記計量装置を給油可能状態にし、予納金額で給油できる仮想給油量を演算し、給油中は仮想給油量と実給油量を比較し、両者が一致すると計量装置を停止状態にし、給油が終了したときに給油金額を精算制御手段へ出力することを特徴とする給油装置。
【発明の詳細な説明】
【０００１】
【発明の属する技術分野】
本発明は、車へ燃料油を供給する給油装置で、特にプリペイドカード及び電子マネー等の疑似貨幣、又は紙幣及びコインの実貨幣のどちらででも精算ができるようにした給油装置に関するものである。
【０００２】
【従来の技術】
市中で商品の売買の精算は、プリペイドカード及び電子マネー等の疑似貨幣、又は紙幣及びコインの実貨幣で行われている。そして、疑似貨幣で精算ができる給油装置、実貨幣で精算ができる給油装置があるが、どちらででも精算ができる給油装置がなく、両者で精算ができる給油装置の実現が望まれている。
【０００３】
【発明が解決しようとする課題】
そこで本発明は、プリペイドカード及び電子マネー等の疑似貨幣、又は紙幣及びコインの実貨幣のどちらででも精算ができるようにして、給油料金の精算を効率的に行えるようにした給油装置を提供することである。
【０００４】
【課題を解決するための手段】
上記目的を達成するために、本発明は、プリペイドカード及び電子マネー等の疑似貨幣取扱い機と、紙幣及びコインの実貨幣取扱い機と、キーボードと、金額を表示する表示器と、残金を実貨幣で放出する釣り銭取扱い機と、給油伝票を発行するプリンタと、各機器に接続された精算制御手段とを有する精算装置と、
送油用のポンプと、給油量を計量する流量計と、給油用の給油ノズルと、給油量を表示する表示器と、給油開始信号及び給油終了信号を出力するスイッチと、各機器及び前記精算制御手段に接続された計量制御手段とを有する計量装置とより構成され、前記精算制御手段は、疑似貨幣取扱い機に挿入された疑似金額及び実貨幣取扱い機に挿入された実金額を加算し、疑似貨幣取扱い機及び実貨幣取扱い機に挿入された合計の予納金額が表示器に表示され、キーボードの設定スイッチを押すと、加算した予納金額を前記計量制御手段へ出力し、給油金額を受けた精算装置の精算制御手段は計量制御手段から入力した給油金額を予納金額より減算して残金額を演算し、表示器に表示し、キーボードの釣銭選択スイッチが押されると、実金額が残金額より多い場合は疑似貨幣金額を零にして疑似貨幣取扱い機より放出し、残金を釣り銭取扱い機より放出し、プリンタより給油伝票が発行され、実金額が残金額より少ない場合は疑似貨幣金額を書き換えて疑似貨幣取扱い機より放出し、実貨幣を実貨幣取扱い機より放出し、プリンタより給油伝票が発行され、又は、繰り入れ信号を受けて残金額を疑似貨幣金額に繰り入れて疑似貨幣取扱い機より放出し、プリンタより給油伝票が発行され、前記計量制御手段は、精算制御手段から予納金額信号を受けて前記計量装置を給油可能状態にし、予納金額で給油できる仮想給油量を演算し、給油中は仮想給油量と実給油量を比較し、両者が一致すると計量装置を停止状態にし、給油が終了したときに給油金額を精算制御手段へ出力すること、および、前記精算制御手段は繰り入れ信号を受けて、残金額を疑似貨幣金額に繰り入れて疑似貨幣取扱い機より放出することを要旨とするものである。本発明によれば、プリペイドカード及び電子マネー等の疑似貨幣、又は紙幣及びコインの実貨幣のどちらででも精算ができるので、給油料金の精算が効率的に行える。また、両者を使用した場合は、疑似貨幣の金額が先に使われるので、疑似貨幣に少ない金額が残ることがない。さらに、精算装置と計量装置との間では金額が伝わるので、精算装置に金額演算機能を設けなくてもよくなる。
【０００５】
さらに、前記精算制御手段は繰り入れ信号を受けて、残金額を疑似貨幣金額に繰り入れて疑似貨幣取扱い機より放出するので、釣銭の小銭を受け取らなくてもよくなる。
【０００６】
【発明の実施の形態】
以下、本発明の給油装置の実施の形態を説明する。図１に示すように、給油所に設けられたアイランド１には、精算装置２と計量装置３とより構成された給油装置４が設けられている。そして、精算装置２と計量装置３とは、信号線５により接続されている。
【０００７】
精算装置２には、プリペイドカード及び電子マネー等の疑似貨幣取扱い機６と、紙幣及びコイン等の実貨幣取扱い機７と、キーボード８と、金額を表示する表示器９と、残金を実貨幣で放出する釣り銭取扱い機１０と、給油伝票を発行するプリンタ１１が設けられている。そして、上述した各機器は精算制御手段１２に接続され制御されるようになっている。
【０００８】
計量装置３には、図示しない貯油タンクに接続された給油管１３が配設され、この給油管１３にはポンプ１４と流量計１５が介装されている。そして、給油管１３には給油ホース１６が接続され、給油ホース１６の先端には給油ノズル１７が設けられ、給油ノズル１７のノズル掛け１８にはノズルスイッチ１９が設けられている。また、表示器２０が設けられ、上述した各機器は計量制御手段２１に接続され制御されるようになっている。
【０００９】
精算装置２は予納金額を計量装置３へ伝え、計量装置３から入力した給油金額を精算する。
【００１０】
精算装置２の精算制御手段１２は、疑似貨幣取扱い機６に挿入された疑似貨幣の疑似金額及び実貨幣取扱い機７に挿入された貨幣の実金額を加算して表示器８に表示し、キーボード９から設定信号を受けて加算した予納金額を計量制御手段２１へ出力する。そして、計量制御手段２１から給油金額を受けて予納金額より給油金額を減算した残金額を表示器９に表示し、キーボード８から釣銭選択信号を受けて実金額と残金額とを比較し、実金額が残金額より多い場合は疑似貨幣金額を零にして疑似貨幣取扱い機６より放出し、残金を釣り銭取扱い機１０より放出し、実金額が残金額より少ない場合は疑似貨幣金額を書き換えて疑似貨幣取扱い機６より放出し、実貨幣を実貨幣取扱い機７より放出する。また、キーボード８から繰入選択信号を受けた場合は、残金を繰り入れて疑似貨幣を疑似貨幣取扱い機６より放出する機能を有している。
【００１１】
また、計量装置３の計量制御手段２１は、精算制御手段１２から予納金額を受けて計量装置３を給油可能状態にし、予納金額で給油できる仮想給油量を演算し、給油ノズル１７をノズル掛け１８から外したときにノズルスイッチ１９から伝わる閉信号を受けて、表示器２０に表示されていた前回の給油データの表示を帰零し、ポンプ１４を駆動する。そして、給油中は流量計１５から受けた流量信号を演算し、演算した給油データを表示器２０に表示し、給油ノズル１７をノズル掛け１８に掛けたときにノズルスイッチ１９から伝わる開信号を受けて計量装置３を停止状態にし、給油金額を精算制御手段１２へ出力する。また、給油中に実給油量が仮想給油量に達すると計量装置３を停止状態にし、給油ノズル１７をノズル掛け１８に掛けたときにノズルスイッチ１９から伝わる開信号を受けて給油金額を精算制御手段１２へ出力する機能を有している。
【００１２】
次に給油装置の動作を図２、３のフローに基づいて説明する。プリペイドカード及び電子マネー等の疑似貨幣を疑似貨幣取扱い機６に挿入し、現金を実貨幣取扱い機７に挿入し、疑似貨幣取扱い機６又は実貨幣取扱い機７から金額信号が精算制御手段１２に入力すると、（図２  ＳＴ１）、疑似貨幣取扱い機６及び実貨幣取扱い機７に挿入された合計の予納金額が表示器８に表示される（図２  ＳＴ２）。このように貨幣を挿入した後に、キーボード８の設定スイッチを押すと（図２  ＳＴ３）、予納金額は計量装置３へ出力される（図２  ＳＴ４）。
【００１３】
精算装置２から予納金額の信号を受けた計量装置３の計量制御手段２１は（図３  ＳＴ１）、計量装置３を給油可能状態とし、予納金額で給油できる仮想給油量を演算する（図３  ＳＴ２）。次に、計量装置３の給油ノズル１７がノズル掛け１８から外され、ノズルスイッチ１９から閉信号が計量制御手段２１へ入力すると（図３  ＳＴ３）、表示器２０に表示されていた前回の給油データ表示が帰零され、ポンプ１４が駆動される（図３  ＳＴ４）。給油ノズル１７より給油をし、流量計１５から流量信号が計量制御手段２１に入力すると（図３  ＳＴ５）、計量制御手段２１は給油量及び給油金額を演算し、演算された給油データを表示器２０に表示する（図３  ＳＴ６）。そして、所望量の給油が終わり、給油ノズル１７をノズル掛け１８に掛けてノズルスイッチ１９から開信号が入力すると（図３  ＳＴ７）、ポンプ１４が停止し（図３  ＳＴ８）、給油金額が精算装置３に出力される（図３  ＳＴ９）。
【００１４】
なお、給油中は実給油量と仮想給油量とは常に比較され、両者が一致すると（図３  ＳＴ１０）、計量制御手段２１はポンプ１４を停止する（図３  ＳＴ１１）。そして、給油ノズル１７をノズル掛け１８に掛けてノズルスイッチ１９から開信号が入力すると（図３  ＳＴ１２）、給油金額が精算装置２に出力される（図３  ＳＴ９）。
【００１５】
一方、給油金額を受けた精算装置２の精算制御手段１２は（図２  ＳＴ５）、予納金額から給油金額を減算して残金額を表示器に表示する（図２  ＳＴ６）。そして、キーボード８の釣銭選択スイッチが押されると（図２  ＳＴ７）、実金額が残金額より多い場合は（図２  ＳＴ８）、金額を零にした疑似貨幣が疑似貨幣取扱い機６より放出され、残金額が釣銭取扱い機１０より放出され（図２  ＳＴ９）、プリンタ１１より給油伝票が発行される（図２  ＳＴ１０）。
【００１６】
そして、実金額が残金額より少ない場合は（図２  ＳＴ８）、金額を書き換えた疑似貨幣が疑似貨幣取扱い機６より放出され、実貨幣取扱い機７に挿入されていた実貨幣が放出され（図２  ＳＴ１１）、プリンタ１１より給油伝票が発行される（図２  ＳＴ１０）。
【００１７】
また、残金額を疑似貨幣に繰り入れしたい場合には、キーボード８の繰入選択スイッチを押すと（図２  ＳＴ１２）、残金が繰り入れられた疑似貨幣が疑似貨幣取扱い機６より放出され（図２  ＳＴ１３）、プリンタ１１より給油伝票が発行される（図２  Ｔ１０）。
【００１８】
なお、本実施の形態の給油装置４は、精算装置２を計量装置３に併設しているが、精算装置２を計量装置３から離れた事務所内に置いても同様に実施できる。
【００１９】
【発明の効果】
以上説明したように本発明の給油装置は、プリペイドカード及び電子マネー等の疑似貨幣、又は紙幣及びコインの実貨幣のどちらででも精算ができるので、給油料金の精算が効率的に行える。また、両者を使用した場合は、疑似貨幣の金額が先に使われるので、疑似貨幣に少ない金額が残ることがない。さらに、精算装置と計量装置の間では量が伝わるので、金額演算機能を有しない計量装置でも実施できる。
【図面の簡単な説明】
【図１】  本発明の給油装置の全体を示すブロック図である。
【図２】  精算装置の精算制御手段のフロー図である。
【図３】  計量装置の計量制御手段のフロー図である。
【符号の説明】
１  アイランド
２  精算装置
３  計量装置
４  給油装置
５  信号線
６  疑似貨幣取扱い機
７  実貨幣取扱い機
８  キーボード
９  表示器
１０  釣銭取扱い機
１１  プリンタ
１２  精算制御手段
１３  給油管
１４  ポンプ
１５  流量計
１６  給油ホース
１７  給油ノズル
１８  ノズル掛け
１９  ノズルスイッチ
２０  表示器
２１  計量制御手段
【図１】
0004182554.tif 000002
【図２】
0004182554.tif 000003
【図３】
0004182554.tif 000004